(57)【特許請求の範囲】
【請求項１】
上階を支持する支持柱が複数設けられたフロアにおいて、既存床の一部を解体して、当該解体した部分に新設床を新たに構築する床改修方法であって、
解体対象となる既存床を覆うように仮設床を前記既存床上に載置し、当該仮設床を前記支持柱に支持させる第１の工程と、
前記既存床を解体する第２の工程と、
前記仮設床を上方に引き上げて前記支持柱で支持させる第３の工程と、
新設床を新たに構築する第４の工程と、
前記仮設床を撤去する第５の工程と、を備えることを特徴とする床改修方法。
【請求項２】
上階を支持する支持柱が複数設けられたフロアにおいて、既存床の一部を解体して、当該解体した部分に新設床を新たに構築する床改修方法であって、
仮設床の一部を前記既存床上に載置して当該載置した一部の仮設床を上方に引き上げて前記支持柱で支持させる工程を繰り返すことで、解体対象となる既存床を覆いかつ前記支持柱に支持された仮設床を設置する第１の工程と、
前記既存床を解体して新設床を新たに構築する第２の工程と、
前記仮設床を撤去する第３の工程と、を備えることを特徴とする床改修方法。
【請求項３】
前記仮設床は、前記既存床上に載置された複数本の受桁と、当該受桁間に架設された覆工桁と、当該覆工桁上に敷設された覆工板と、を備え、
前記仮設床を載置する際、前記既存床上に所定本数の受桁を載置し、当該受桁を跨ぐように覆工桁および覆工板を架設することで、前記仮設床を構成し、
前記仮設床を引き上げる際、前記受桁を前記支持柱に沿って上方に引き上げて、当該受桁を前記支持柱に支持させることを特徴とする請求項１または２に記載の床改修方法。
【請求項４】
前記覆工桁と前記覆工板とは一体化され、
前記受桁の上面には、前記覆工桁同士を連結する連結部材が取り付けられ、
前記連結部材には、長孔が形成され、
前記覆工桁には、前記長孔に挿通されるボルト部が設けられることを特徴とする請求項３に記載の床改修方法。
【発明の詳細な説明】
【技術分野】
【０００１】
本発明は、床改修方法に関する。詳しくは、上階を支持する支持柱が複数設けられたフロアにおいて、既存床の一部を解体して新設床を新たに構築する床改修方法に関する。
【背景技術】
【０００２】
従来より、駅などの鉄道構造物の改修建替工事では、歩行者通路である既存床の一部を解体して、新設床を新たに構築する場合がある。
この場合、例えば、歩行者通路である既存床の上に構台を構築することが提案されている（特許文献１参照）。すなわち、支持柱、受桁、覆工桁、覆工板で構台を構成し、この構台を歩行者通路である既存床の上に構築して、歩行者通路として利用する。そして、既存床を解体して新設床を構築し、その後、構台を解体して、今度は新設床を歩行者通路として利用する。
【０００３】
しかしながら、鉄道構造物では、鉄道が営業運転していない時間帯にのみ工事可能となるため、１日の工事時間が短時間となり、１日ごとに歩行者通路を通行可能な状態に復旧する必要がある。
そのため、上述の構台を構築する方法では、構台を構築する期間中、歩行者通路を確保できないため、歩行者の迂回路を設ける必要がある、という問題があった。
【０００４】
この問題を解決するため、歩行者通路を二分割する手法が知られている。すなわち、まず、既存床を歩行者通路の通路幅方向に分割し、一方の既存床の歩行者通路としての使用を継続し、他方の既存床の歩行者通路としての使用を中止する。この状態で、他方の既存床を解体して新設床を構築する。
次に、歩行者通路を切り替えて、一方の既存床の歩行者通路としての使用を中止し、構築した新設床の歩行者通路としての使用を開始する。この状態で、残りの既存床を解体して新設床を構築する。
【０００５】
この既存床を二分割する手法によれば、工事期間中、歩行者通路を常に確保できるので、歩行者の迂回路を設ける必要がなくなる。
【先行技術文献】
【特許文献】
【０００６】
【特許文献１】実用新案登録第３０３８７５９号公報
【発明の概要】
【発明が解決しようとする課題】
【０００７】
しかしながら、歩行者通路を二分割する手法では、工事期間中、歩行者通路を常に確保できるが、歩行者通路の通路幅が半分になるため、工事前と同程度の歩行者数を捌ききれず、歩行者の円滑な通行を確保できない、という問題があった。
【０００８】
本発明は、工事期間中に歩行者通路の円滑な通行を常に確保しながら、既存床を解体して新設床を構築できる床改修方法を提供することを目的とする。
【課題を解決するための手段】
【０００９】
請求項１に記載の床改修方法は、上階（例えば、後述の上階２）を支持する支持柱（例えば、後述の支持柱３）が複数設けられたフロア（例えば、後述のフロア１）において、既存床（例えば、後述の既存床４）の一部を解体して、当該解体した部分に新設床（例えば、後述の新設床５）を新たに構築する床改修方法であって、解体対象となる既存床を覆うように仮設床（例えば、後述の仮設床１０）を前記既存床上に載置し、当該仮設床を前記支持柱に支持させる第１の工程（例えば、後述のステップＳ１）と、前記既存床を解体する第２の工程（例えば、後述のステップＳ２）と、前記仮設床を上方に引き上げて前記支持柱で支持させる第３の工程（例えば、後述のステップＳ３）と、新設床（例えば、後述の新設床５）を新たに構築する第４の工程（例えば、後述のステップＳ４）と、前記仮設床を撤去する第５の工程（例えば、後述のステップＳ５）と、を備えることを特徴とする。
【００１０】
請求項２に記載の床改修方法は、上階（例えば、後述の上階２）を支持する支持柱（例えば、後述の支持柱３）が複数設けられたフロア（例えば、後述のフロア１）において、既存床（例えば、後述の既存床４）の一部を解体して、当該解体した部分に新設床（例えば、後述の新設床５）を新たに構築する床改修方法であって、仮設床（例えば、後述の仮設床１０）の一部を前記既存床上に載置して当該載置した一部の仮設床を上方に引き上げて前記支持柱で支持させる工程を繰り返すことで、解体対象となる既存床を覆いかつ前記支持柱に支持された仮設床を設置する第１の工程（例えば、後述のステップＳ１Ａ〜Ｓ３Ａ）と、前記既存床を解体して新設床を新たに構築する第２の工程（例えば、後述のステップＳ４Ａ）と、前記仮設床を撤去する第２の工程（例えば、後述のステップＳ５Ａ）と、を備えることを特徴とする。
【００１１】
請求項３に記載の床改修方法は、前記仮設床は、前記既存床上に載置された複数本の受桁（例えば、後述の受桁１１）と、当該受桁間に架設された覆工桁（例えば、後述の覆工桁１２）と、当該覆工桁上に敷設された覆工板（例えば、後述の覆工板１３）と、を備え、前記仮設床を載置する際、前記既存床上に所定本数の受桁を載置し、当該受桁を跨ぐように覆工桁および覆工板を架設することで、前記仮設床を構成し、前記仮設床を引き上げる際、前記受桁を前記支持柱に沿って上方に引き上げて、当該受桁を前記支持柱に支持させることを特徴とする。
【００１２】
この発明によれば、例えば、歩行者通路である既存床を解体して、この解体した部分に新設床を新たに構築する場合、以下の手順で仮設床を構築する。この場合、歩行者通路を利用しない夜間に工事を行う。
第１の方法は、最初の一日で、既存床上に所定本数の受桁を載置し、この受桁を跨ぐように一体化した覆工桁および覆工板を架設する。これにより、仮設床の一部を既存床上に載置し、歩行者通路の復旧までを行う。
【００１３】
次の一日で、既存床上に所定本数の受桁を載置し、この受桁を跨ぐように一体化した覆工桁および覆工板を架設し、既に載置した仮設床に連結する。これにより、既存床上に載置した仮設床を拡げて、歩行者通路の復旧までを行う。
以上の作業を何日か繰り返すことで、仮設床の全体を既存床上に載置し、その後、この仮設床の全体を上方に引き上げて前記支持柱で支持させる。
【００１４】
第２の方法は、最初の一日で、既存床上に所定本数の受桁を載置し、この受桁を跨ぐように一体化した覆工桁および覆工板を架設し、この架設した部分を上方に引き上げて支持柱で支持させる。これにより、仮設床の一部を既存床から離して設置し、歩行者通路の復旧までを行う。
【００１５】
次の一日で、既存床上に所定本数の受桁を載置し、この受桁を跨ぐように一体化した覆工桁および覆工板を架設し、この架設した部分を上方に引き上げて支持柱で支持させて、既に設置した仮設床に連結する。これにより、仮設床の設置範囲を拡げて、歩行者通路の復旧までを行う。
以上の作業を何日か繰り返すことで、仮設床全体を設置する。
【００１６】
よって、一日ごとに歩行者通路を復旧するので、工事期間中、歩行者通路を常に確保できる。つまり、解体する既存床上に仮設床を元の歩行者通路と同じ幅で設置できるので、工事期間中であっても、歩行者は迂回する必要がなく、歩行者の円滑な通行を確保できる。
【００１７】
請求項４に記載の床改修方法は、前記覆工桁と前記覆工板とは一体化され、前記受桁の上面には、前記覆工桁同士を連結する連結部材（例えば、後述の連結部材１４）が取り付けられ、前記連結部材には、長孔（例えば、後述の長孔１４１）が形成され、前記覆工桁には、前記長孔に挿通されるボルト部（例えば、後述のボルト部１２１）が設けられることを特徴とする。
【００１８】
この発明によれば、覆工桁を受桁に直接取り付けず、連結部材を介して取り付けた。具体的には、連結部材に長孔を形成し、覆工桁のボルト部をこの長孔に挿通して固定した。
よって、ボルト部を長孔内の任意の位置に配置することで、覆工桁と受桁との相対位置を調整できるから、受桁同士のスパンが多少伸縮しても、覆工桁を受桁に確実に架設することができる。
【００１９】
また、ボルト部を長孔内で回転させることで、覆工桁の受桁に対する角度を調整できるから、受桁同士の高低差を吸収できるうえに、この覆工桁上の覆工板をスロープとして利用できる。さらに、受桁を支持柱に沿って上方に引き上げる際、仮設床のスロープの角度を変化させる必要があるが、このスロープの角度の変化にも容易に追従できる。
以上より、覆工桁および覆工板の汎用性を向上できる。
【００２０】
また、覆工桁および覆工板を一体にしたので、覆工桁および覆工板を取り扱いし易くなり、仮設床を迅速に設置できる。
【発明の効果】
【００２１】
本発明によれば、解体する既存床上に仮設床を元の歩行者通路と同じ幅で設置できるので、工事期間中であっても、歩行者は迂回する必要がなく、歩行者の円滑な通行を確保できる。
ボルト部を長孔内の任意の位置に配置することで、覆工桁と受桁との相対位置を調整できるから、受桁同士のスパンが多少伸縮しても、覆工桁を受桁に確実に架設することができる。また、ボルト部を長孔内で回転させることで、覆工桁の受桁に対する角度を調整できるから、受桁同士の高低差を吸収できる。さらに、受桁を支持柱に沿って上方に引き上げる際、仮設床のスロープの角度を変化させる必要があるが、このスロープの角度の変化にも容易に追従できる。以上より、覆工桁および覆工板の汎用性を向上できる。
【図面の簡単な説明】
【００２２】
【図１】本発明の第１実施形態に係る床改修方法のフローチャートである。
【図２】前記実施形態に係る床改修方法が適用されるフロアの断面図である。
【図３】前記実施形態に係る床改修方法により設置される仮設床の側面図である。
【図４】前記実施形態に係る仮設床の平面図である。
【図５】前記実施形態に係る仮設床の部分拡大斜視図である。
【図６】前記実施形態に係る仮設床を設置する手順を説明するための図（その１）である。
【図７】前記実施形態に係る仮設床を設置する手順を説明するための図（その２）である。
【図８】前記実施形態に係る仮設床を設置する手順を説明するための図（その３）である。
【図９】本発明の第２実施形態に係る床改修方法のフローチャートである。
【図１０】前記実施形態に係る仮設床を設置する手順を説明するための図である。
【発明を実施するための形態】
【００２３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る床改修方法のフローチャートである。図２は、この床改修方法が適用されるフロア１の断面図である。
このフロア１には、上階２を支持する支持柱３が所定間隔置きに複数設けられている。
このフロア１の既存床４の一部は、歩行者通路となっている。本発明の床改修方法では、この歩行者通路である既存床４を解体対象として解体し、この解体した部分に新設床５を新たに構築する。
【００２４】
ステップＳ１では、図３および図４に示すように、解体対象となる既存床４を覆うように新たな歩行者通路としての仮設床１０を載置し、当該仮設床を前記支持柱に支持させる。
【００２５】
この仮設床１０は、歩行者通路の通路幅方向に延びて隣り合う支持柱３間に接するように既存床４上に載置された複数本の受桁１１と、これら受桁１１間に架設された覆工桁１２と、これら覆工桁１２上に敷設された覆工板１３と、を備える。
【００２６】
ここで、受桁１１は、図示しないガセットプレートを介して、支持柱３に連結されている。
また、図５に示すように、平版状の覆工板１３と、この覆工板１３の下面に略平行に固定された２本の覆工桁１２とは一体化されている。
【００２７】
また、受桁１１の上面には、覆工桁１２同士を連結する連結部材１４が取り付けられ、この受桁１１に架設される覆工桁１２は、この連結部材１４に連結される。
連結部材１４には、一対の長孔１４１が形成され、覆工桁１２には、長孔１４１に挿通されるボルト部１２１が設けられる。このボルト部１２１には、ナット１２２が締付けられている。
【００２８】
この仮設床１０は、歩行者通路を利用しない夜間に工事を行うこととし、以下の手順で設置する。すなわち、仮設床１０を長さ方向に複数に分割して、１日毎に、この分割した仮設床１０を一端側から順に設置する。
まず、最初の一日で、図６に示すように、既存床４上に一本の受桁１１を載置し、この受桁１１を跨ぐように一体化した覆工桁１２および覆工板１３を架設する。これにより、一日で、仮設床の一部を設置し、歩行者通路の復旧までを行う。
【００２９】
次の一日で、図７に示すように、既存床上に二本目の受桁を載置し、この二本目の受桁を跨ぐように一体化した覆工桁１２および覆工板１３を架設、既に載置した仮設床１０に連結する。これにより、既存床４上に載置した仮設床１０を拡げて、歩行者通路の復旧までを行う。
【００３０】
以上の作業を何回か繰り返すことで、仮設床１０を完成させる。
【００３１】
ステップＳ２では、既存床４を解体する。
ステップＳ３では、図８に示すように、受桁１１を支持柱３に沿って上方に引き上げて、受桁１１を支持柱３に吊り下げ支持する。
すなわち、一日で、チェーンブロックなどの吊持部材１５を用いて、全ての受桁１１を支持柱３に沿って徐々に上方に引き上げて、ガセットプレートを介して全ての受桁１１を支持柱３に支持させ、その後、吊持部材１５を取り外す。
これにより、受桁１１、覆工桁１２および覆工板１３は、既存床４から所定距離上方に離れることになる。
【００３２】
ステップＳ４では、新設床５を新たに構築する。
ステップＳ５では、仮設床１０を撤去する。
【００３３】
本実施形態によれば、以下のような効果がある。
（１）一日ごとに歩行者通路を復旧するので、工事期間中、歩行者通路を常に確保できる。つまり、解体する既存床４上に仮設床１０を元の歩行者通路と同じ幅で設置できるので、工事期間中であっても、歩行者は迂回する必要がなく、歩行者の円滑な通行を確保できる。
【００３４】
（２）覆工桁１２を受桁１１に直接取り付けず、連結部材１４を介して取り付けた。具体的には、連結部材１４に長孔１４１を形成し、覆工桁１２のボルト部１２１をこの長孔１４１に挿通して固定した。
よって、ボルト部１２１を長孔１４１内の任意の位置に配置することで、覆工桁１２と受桁１１との相対位置を調整できるから、受桁１１同士のスパンが多少伸縮しても、覆工桁１２を受桁１１に確実に架設することができる。
【００３５】
また、ボルト部１２１を長孔１４１内で回転させることで、覆工桁１２の受桁１１に対する角度を調整できるから、受桁１１同士の高低差を吸収できるうえに、この覆工桁１２上の覆工板１３をスロープとして利用できる。さらに、受桁１１を支持柱３に沿って上方に引き上げる際、仮設床１０のスロープの角度を変化させる必要があるが、このスロープの角度の変化にも容易に追従できる。
以上より、覆工桁１２および覆工板１３の汎用性を向上できる。
【００３６】
〔第２実施形態〕
図９は、本発明の第２実施形態に係る床改修方法のフローチャートである。
【００３７】
本実施形態では、仮設床１０を長さ方向に複数に分割して、１日毎に、この分割した仮設床１０を一端側から順に設置して支持柱３に吊り下げ支持する点が、第１実施形態と異なる。
【００３８】
ステップＳ１Ａでは、図１０に示すように、既存床４上に一本の受桁１１を載置し、この受桁１１を跨ぐように一体化した覆工桁１２および覆工板１３を架設する。
【００３９】
ステップＳ２Ａでは、吊持部材１５を用いて、受桁１１を支持柱３に沿って上方に引き上げて、受桁１１を支持柱３に吊り下げ支持する。
すなわち、チェーンブロックなどの吊持部材１５を用いて全ての受桁１１を支持柱３に沿って徐々に上方に引き上げて、ガセットプレートを介して全ての受桁１１を支持柱３に支持させ、その後、吊持部材１５を取り外す。
これにより、受桁１１、覆工桁１２および覆工板１３は、既存床４から所定距離上方に離れることになる。
以上のステップＳ１Ａ、Ｓ２Ａを一日で行って、仮設床の一部を設置し、歩行者通路の復旧までを行う。
【００４０】
ステップＳ３Ａでは、仮設床１０の設置が完了したか否かを判定し、この判定がＹｅｓである場合には、ステップＳ４Ａに移り、Ｎｏである場合には、ステップＳ１Ａに戻って、同じ作業を繰り返す。
【００４１】
ステップＳ４Ａでは、既存床４上に仮設床１０の設置が完了したので、既存床４を解体して新設床５を新たに構築する。
ステップＳ５Ａでは、仮設床１０を撤去する。
【００４２】
本実施形態によれば、上述の（１）、（２）と同様の効果がある。
【００４３】
なお、本発明は前記実施形態に限定されるものではなく、本発明の目的を達成できる範囲での変形、改良等は本発明に含まれるものである。
【符号の説明】
【００４４】
１…フロア
２…上階
３…支持柱
４…既存床
５…新設床
１０…構台
１１…受桁
１２…覆工桁
１３…覆工板
１４…連結部材
１５…吊持部材
１２１…ボルト部
１４１…長孔
【図１】
0005757577.tif 000002
【図２】
0005757577.tif 000003
【図３】
0005757577.tif 000004
【図４】
0005757577.tif 000005
【図５】
0005757577.tif 000006
【図６】
0005757577.tif 000007
【図７】
0005757577.tif 000008
【図８】
0005757577.tif 000009
【図９】
0005757577.tif 000010
【図１０】
0005757577.tif 000011